(57)【要約】【課題】本発明は、記憶装置を備えていない印刷装置であっても、印刷ジョブの操作を行なうことができるようにした、印刷装置におけるジョブ操作装置及びジョブ操作プログラムを提供する。【解決手段】ホストコンピュータ１００から印刷装置２００に印刷ジョブ１５０を含む印刷情報１４０を出力して、印刷装置により印刷情報の印刷を行なう印刷システム１０にて、印刷ジョブについて、各種項目の設定・編集を行なう印刷装置のジョブ操作装置３００であって、印刷装置に関する情報を取得し、プリンタドライバにより生成され記憶装置にキャッシュされた印刷ジョブ１５０を読み出して解析し、印刷装置に関する情報及び解析した印刷ジョブにもとづいて、印刷ジョブの各項目の設定変更や制御コードの付加等の印刷ジョブの編集を行なって、印刷装置２００に出力するように、構成する。【選択図】        図１
2004213211.tif 000002
【特許請求の範囲】
【請求項１】
ホストコンピュータから印刷装置に印刷ジョブを含む印刷情報を出力して、前記印刷装置により前記印刷情報の印刷を行なう印刷システムにて、前記印刷ジョブについて、各種項目の設定・編集を行なうジョブ操作装置であって、
前記印刷装置に関する情報を取得する印刷装置情報取得部と、
前記ホストコンピュータにてプリンタドライバにより生成され前記ホストコンピュータの記憶装置にキャッシュされた印刷ジョブを読み出すジョブ読出部と、
ジョブ読出部により読み出された前記印刷ジョブを解析するジョブ解析部と、
前記印刷装置情報取得部により取得された前記印刷装置に関する情報及び前記ジョブ解析部により解析された印刷ジョブにもとづいて、印刷ジョブの各項目の設定変更や制御コードの付加等の印刷ジョブの編集を行なうジョブ編集部と、
ジョブ編集部により編集された印刷ジョブを、印刷装置に出力する出力部とを設けた
ことを特徴とする印刷装置におけるジョブ操作装置。
【請求項２】
前記ホストコンピュータと前記印刷装置がローカル接続されており、
前記出力部が、印刷ジョブを前記印刷装置に対して直接に送出する
ことを特徴とする請求項１記載のジョブ操作装置。
【請求項３】
前記ホストコンピュータと前記印刷装置がネットワーク接続されており、
前記出力部が、前記印刷ジョブを前記印刷装置に対してネットワークを介して送出する
ことを特徴とする請求項１又は２記載のジョブ操作装置。
【請求項４】
前記ジョブ解析部が、前記ジョブ読出部により読み出された前記印刷ジョブに関して、記述言語及び各種印刷設定情報を解析により取得する
ことを特徴とする請求項１〜３のいずれかに記載のジョブ操作装置。
【請求項５】
前記ジョブ編集部が、前記ジョブ解析部により解析された印刷ジョブのうち、編集可能な項目を抽出して、抽出した項目のみの編集を行なう
ことを特徴とする請求項１〜４のいずれかに記載のジョブ操作装置。
【請求項６】
ホストコンピュータから印刷装置に印刷ジョブを含む印刷情報を出力して、印刷装置により印刷情報の印刷を行なう印刷システムにて、印刷ジョブについて、各種項目の設定・編集を行なう処理をホストコンピュータに実行させる印刷装置のジョブ操作プログラムであって、
印刷装置に関する情報を取得し、
プリンタドライバにより生成され記憶装置にキャッシュされた印刷ジョブを読み出して解析し、
前記印刷装置に関する情報及び解析した印刷ジョブにもとづいて、印刷ジョブの各項目の設定変更や制御コードの付加等の印刷ジョブの編集を行なって、印刷装置に出力する、
ことを特徴とする印刷装置におけるジョブ操作プログラム。
【請求項７】
編集した印刷ジョブを前記印刷装置に対して直接に送出する
ことを特徴とする請求項６記載のジョブ操作プログラム。
【請求項８】
編集した印刷ジョブを前記印刷装置に対してネットワークを介して送出する
ことを特徴とする請求項６又は７記載のジョブ操作プログラム。
【請求項９】
読み出された印刷ジョブに関して、記述言語及び各種印刷設定情報を解析により取得する
ことを特徴とする請求項６〜８のいずれかに記載のジョブ操作プログラム。
【請求項１０】
解析された印刷ジョブのうち、編集可能な項目を抽出して、抽出した項目のみの編集を行なう
ことを特徴とする請求項６〜９のいずれかに記載のジョブ操作プログラム。
【発明の詳細な説明】
【０００１】
【発明の属する技術分野】
本発明は、ホストコンピュータから印刷装置に印刷ジョブを含む印刷情報を出力して、印刷装置により印刷情報の印刷を行なう印刷システムに関し、特に印刷ジョブについて、各種項目の設定・編集を行なうジョブ操作の技術に関する。
【０００２】
【従来の技術】
従来、例えばプリンタ，ファクシミリ装置，コピー機，スキャナ装置，所謂デジタル複合機等の印刷用紙に印刷を行なうようにした機器（以下、「印刷装置」という）においては、印刷装置に内蔵されたマイコンや、インタフェースを介して接続されたホストコンピュータ等で動作する所謂プリンタドライバにより、各種印刷設定を行ない、印刷ジョブを生成するようになっている。
【０００３】
そして、このような印刷ジョブの操作を行なう所謂ジョブ管理ソフト（プログラム）は、印刷ジョブに対して、例えばステープル機能，パンチ機能やブックレートモード等の印刷設定情報、すなわち印刷装置が備える種々のオプション機能を付加することが可能であり、印刷装置の各種機能を有効に利用するために、非常に利便性の高いユーティリティとして広く利用されている。
【０００４】
【発明が解決しようとする課題】
しかしながら、従来のこのようなジョブ管理ソフトは、ホストコンピュータからローカル接続またはネットワーク接続された印刷装置内に出力され、そこに備えられた記憶装置に記憶された印刷ジョブしか操作できないという制限があった。
このため、記憶装置を備えていない印刷装置を使用する場合には、ジョブ管理ソフトは、印刷ジョブを操作することができなかった。したがって、記憶装置を備えていない印刷装置においては、その印刷装置が備える種々の機能を有効利用することができないという問題が生じていた。
【０００５】
本発明は、上記の問題を解決すべくなされたものであり、記憶装置を備えていない印刷装置であっても、印刷ジョブの操作を行なうことができるようにした、印刷装置におけるジョブ操作装置及びジョブ操作プログラムの提供を目的とする。
【０００６】
この目的を達成するため、本発明の請求項１記載の印刷装置におけるジョブ操作装置は、ホストコンピュータから印刷装置に印刷ジョブを含む印刷情報を出力して、印刷装置により印刷情報の印刷を行なう印刷システムにて、印刷ジョブについて、各種項目の設定・編集を行なうジョブ操作装置であって、印刷装置に関する情報を取得する印刷装置情報取得部と、ホストコンピュータにてプリンタドライバにより生成されホストコンピュータの記憶装置にキャッシュされた印刷ジョブを読み出すジョブ読出部と、ジョブ読出部により読み出された印刷ジョブを解析するジョブ解析部と、印刷装置情報取得部により取得された印刷装置に関する情報及びジョブ解析部により解析された印刷ジョブにもとづいて、印刷ジョブの各項目の設定変更や制御コードの付加等の印刷ジョブの編集を行なうジョブ編集部と、ジョブ編集部により編集された印刷ジョブを、印刷装置に出力する出力部とを設けた構成としてある。
【０００７】
ジョブ操作装置をこのような構成とすると、ホストコンピュータがプリンタドライバにより生成した印刷ジョブをホストコンピュータの記憶装置にキャッシュした状態にて、ジョブ操作装置の印刷装置情報取得部が、印刷装置に関する情報を取得するとともに、ジョブ操作装置のジョブ読出部が、このキャッシュされた印刷ジョブを読み出して、ジョブ解析部により解析する。
【０００８】
そして、ジョブ操作装置のジョブ編集部が、印刷装置情報取得部により取得された印刷装置に関する情報及びジョブ解析部により解析された印刷ジョブにもとづいて、印刷，削除，保存ジョブのリスト出力，そしてジョブの各項目の設定変更やオプション機能の付加等の印刷ジョブの編集を行なう。
最後に、ジョブ編集部により編集された印刷ジョブを、ジョブ操作装置の出力部により印刷装置に出力する。
【０００９】
このようにして、印刷ジョブを登録すべき記憶装置を備えていない印刷装置であっても、印刷ジョブをホストコンピュータの記憶装置を利用してキャッシュしておくことにより、ジョブ操作装置がその印刷ジョブを読み出して編集することができるとともに、編集した印刷ジョブを印刷装置に出力することにより、この印刷ジョブにもとづいて印刷情報の印刷を行なわせることができる。
【００１０】
また、請求項２記載のジョブ操作装置は、ホストコンピュータと印刷装置がローカル接続されており、出力部が、印刷ジョブを印刷装置に対して直接に送出する構成としてある。
ジョブ操作装置をこのような構成とすると、ローカル接続された印刷装置を使用する際に、印刷装置が印刷ジョブをキャッシュすべき記憶装置を備えていないときでも、ホストコンピュータにてプリンタドライバが作成した印刷ジョブをホストコンピュータの記憶装置を利用してキャッシュさせておくことにより、ジョブ操作装置がその印刷ジョブを読み出して編集することができるとともに、編集した印刷ジョブを印刷装置に出力することにより、この印刷ジョブにもとづいてローカル接続された印刷装置により印刷情報の印刷を行なうことができる。
【００１１】
また、請求項３記載のジョブ操作装置は、ホストコンピュータと印刷装置がネットワーク接続されており、出力部が、印刷ジョブを印刷装置に対してネットワークを介して送出する構成としてある。
ジョブ操作装置をこのような構成とすると、ネットワーク接続された印刷装置を使用する際に、印刷装置が印刷ジョブをキャッシュすべき記憶装置を備えていないときでも、ホストコンピュータにてプリンタドライバが作成した印刷ジョブをホストコンピュータの記憶装置を利用してキャッシュさせておくことにより、ジョブ操作装置がその印刷ジョブを読み出して編集することができるとともに、編集した印刷ジョブを印刷装置に出力することにより、この印刷ジョブにもとづいてネットワーク接続された印刷装置により印刷情報の印刷を行なうことができる。
【００１２】
また、請求項４記載のジョブ操作装置は、ジョブ解析部が、ジョブ読出部により読み出された印刷ジョブに関して、記述言語及び各種印刷設定情報を解析により取得する構成としてある。
ジョブ操作装置をこのような構成とすると、解析により取得した記述言語や各種印刷設定情報にもとづいて、各種編集操作を行なうことができる。
【００１３】
また、請求項５記載のジョブ操作装置は、ジョブ編集部が、ジョブ解析部により解析された印刷ジョブのうち、編集可能な項目を抽出して、抽出した項目のみの編集を行なう構成としてある。
ジョブ操作装置をこのような構成とすると、編集可能な項目のみ抽出されることにより、誤って編集できない項目の編集をするようなことがない。
【００１４】
また、この目的を達成するため、本発明の請求項６記載の印刷装置におけるジョブ操作プログラムは、ホストコンピュータから印刷装置に印刷ジョブを含む印刷情報を出力して、印刷装置により印刷情報の印刷を行なう印刷システムにて、印刷ジョブについて、各種項目の設定・編集を行なう処理をホストコンピュータに実行させる印刷装置のジョブ操作プログラムであって、印刷装置に関する情報を取得し、プリンタドライバにより生成され記憶装置にキャッシュされた印刷ジョブを読み出して解析し、印刷装置に関する情報及び解析した印刷ジョブにもとづいて、印刷ジョブの各項目の設定変更や制御コードの付加等の印刷ジョブの編集を行なって、印刷装置に出力する構成としてある。
【００１５】
ジョブ操作プログラムをこのような構成とすると、ホストコンピュータがプリンタドライバにより生成した印刷ジョブをホストコンピュータの記憶装置にキャッシュした状態にて、ジョブ操作プログラムが、印刷装置に関する情報を取得するとともに、このキャッシュされた印刷ジョブを読み出して、解析する。
そして、ジョブ操作プログラムが、取得した印刷装置に関する情報及び解析した印刷ジョブにもとづいて、印刷，削除，保存ジョブのリスト出力，そしてジョブの各項目の設定変更やオプション機能の付加等の印刷ジョブの編集を行なう。
最後に、ジョブ操作プログラムが、編集された印刷ジョブを印刷装置に出力する。
【００１６】
このようにして、印刷ジョブをキャッシュすべき記憶装置を備えていない印刷装置であっても、印刷ジョブをホストコンピュータの記憶装置を利用してキャッシュしておくことにより、ジョブ操作プログラムがその印刷ジョブを読み出して編集することができるとともに、編集した印刷ジョブを印刷装置に出力することにより、この印刷ジョブにもとづいて印刷情報の印刷を行なわせることができる。
【００１７】
また、請求項７記載のジョブ操作プログラムは、編集した印刷ジョブを印刷装置に対して直接に送出する構成としてある。
ジョブ操作プログラムをこのような構成とすると、ローカル接続された印刷装置を使用する際に、印刷装置が印刷ジョブをキャッシュすべき記憶装置を備えていないときでも、ホストコンピュータにてプリンタドライバが作成した印刷ジョブをホストコンピュータの記憶装置を利用してキャッシュさせておくことにより、ジョブ操作プログラムがその印刷ジョブを読み出して編集することができるとともに、編集した印刷ジョブを印刷装置に出力することにより、この印刷ジョブにもとづいてローカル接続された印刷装置により印刷情報の印刷を行なうことができる。
【００１８】
また、請求項８記載のジョブ操作プログラムは、編集した印刷ジョブを印刷装置に対してネットワークを介して送出する構成としてある。
ジョブ操作プログラムをこのような構成とすると、ネットワーク接続された印刷装置を使用する際に、印刷装置が印刷ジョブをキャッシュすべき記憶装置を備えていないときでも、ホストコンピュータにてプリンタドライバが作成した印刷ジョブをホストコンピュータの記憶装置を利用してキャッシュさせておくことにより、ジョブ操作プログラムがその印刷ジョブを読み出して編集することができるとともに、編集した印刷ジョブを印刷装置に出力することにより、この印刷ジョブにもとづいてネットワーク接続された印刷装置により印刷情報の印刷を行なうことができる。
【００１９】
また、請求項９記載のジョブ操作プログラムは、読み出された印刷ジョブに関して、記述言語及び各種印刷設定情報を解析により取得する構成としてある。
ジョブ操作プログラムをこのような構成とすると、解析により取得した記述言語や各種印刷設定情報にもとづいて、各種編集操作を行なうことができる。
【００２０】
また、請求項１０記載のジョブ操作プログラムは、解析された印刷ジョブのうち、編集可能な項目を抽出して、抽出した項目のみの編集を行なう構成としてある。
ジョブ操作プログラムをこのような構成とすると、編集可能な項目のみ抽出されることにより、誤って編集できない項目の編集をするようなことがない。
【００２１】
【発明の実施の形態】
以下、本発明の印刷装置におけるジョブ操作装置の実施の形態について、図１〜図５を参照して説明する。
図１及び図２は、本発明によるジョブ操作装置の一実施形態を備えた印刷システムの構成を示している。
【００２２】
図１に示すように、印刷システム１０は、ホストコンピュータとしてのコンピュータ１００と、印刷装置としてのプリンタ２００と、ジョブ操作装置３００と、を備えている。
【００２３】
ここで、コンピュータ１００は、処理部１１０と、記憶装置１２０とを含んでいる。
これにより、コンピュータ１００は、処理部１１０にて、印刷すべき印刷情報１４０に関して、後述するように、コンピュータ１００上で動作するプログラムによるプリンタドライバ１３０により印刷ジョブ１５０を作成して、これらの印刷情報１４０及び印刷ジョブ１５０のファイルを記憶装置１２０にキャッシュするとともに、プリンタ２００に対して出力するようになっている。
【００２４】
プリンタ２００は、公知の構成のプリンタであって、印刷情報及び印刷ジョブをキャッシュするための記憶装置を備えていなくてもよい。
そして、プリンタ２００は、コンピュータ１００から直接に、またはジョブ操作装置３００を介して、送出される印刷情報１４０及び印刷ジョブ１５０にもとづいて、その印刷情報１４０の印刷を行なうようになっている。
尚、プリンタ２００は、コンピュータ１００とローカル接続またはネットワーク接続されている。
【００２５】
ジョブ操作装置３００は、コンピュータ１００上で動作するジョブ操作プログラムにより構成されており、以下に示す各部の機能をソフトウェアにより実現するようになっている。
ここで、ジョブ操作装置３００は、図２に示すように、プリンタ情報取得部３１０と、ジョブ読出部３２０と、ジョブ解析部３３０と、ジョブ編集部３４０と、出力部３５０とを有している。
【００２６】
プリンタ情報取得部３１０は、例えばＳＮＭＰやＰＪＬを使用して、印刷出力先であるプリンタ２００に関する情報３１１を取得して、ジョブ編集部３４０に出力するようになっている。
ここで、プリンタ２００に関する情報３１１は、例えばオプション装置の有無やプリンタに関する内部情報等である。
【００２７】
ジョブ読出部３２０は、前述したようにコンピュータ１００にてプリンタドライバ１１１により生成されコンピュータ１００の記憶装置１２０にキャッシュされた印刷ジョブ１５０のファイルを読み出すとともに、プリンタドライバ１１１以外により生成された印刷情報１４０も同様に記憶装置１２０から読み出して、これらの印刷情報１４０及び印刷ジョブ１５０のうち、印刷情報１４０を出力部３５０に、そして印刷ジョブ１５０をジョブ解析部３３０に出力するようになっている。
【００２８】
ジョブ解析部３３０は、ジョブ読出部３２０により読み出された印刷ジョブ１５０を解析して、プリンタ記述言語や各種印刷設定情報を取得するようになっている。
ここで、プリンタ記述言語は、例えばプリスクライブ，ＰｏｓｔＳｃｒｉｐｔ，ＰＣＬ等である。
また、各種印刷設定情報は、例えば印刷枚数，両面印刷モード等である。
【００２９】
ジョブ編集部３４０は、プリンタ情報取得部３１０により取得されたプリンタに関する情報３１１及びジョブ解析部３３０により解析された印刷ジョブ１５０を、図３に示すように、コンピュータ１００の表示部に画面表示し、利用者がコンピュータ１００のキーボード，マウス等の入力手段を使用して入力操作を行なうことにより、印刷ジョブ１５０の各項目の設定変更や制御コードの付加等の印刷ジョブの編集を行なうようになっている。
【００３０】
ここで、ジョブ編集部３４０は、プリンタに関する情報３１１及び解析された印刷ジョブ１５０のうち、編集可能な項目を抽出して、この抽出した項目についてのみ、印刷設定情報等の編集を行なうようにしてもよい。
さらに、ジョブ編集部３４０は、コンピュータ１００上で動作するバイナリエディタ等の編集ツールにより、図４に示すように、印刷ジョブ１５０を直接に編集するようにしてもよい。
【００３１】
出力部３５０は、ジョブ編集部３４０により編集された印刷ジョブ１５０を、プリンタに関する情報３１１にもとづいて、指定されたポートに接続されたプリンタ２００に出力する。
ここで、出力部３５０は、プリンタ２００がローカル接続されている場合には、例えばＬＰＲ送信により印刷ジョブ１５０を出力し、またプリンタ２００がネットワーク接続されている場合には、例えばＦＴＰ送信により印刷ジョブ１５０を出力するようになっている。
【００３２】
次に、本実施形態における印刷システム１０による印刷処理について、図５を参照して説明する。
まず、前処理として、コンピュータ１００の処理部１１０が、印刷すべき印刷情報１４０にもとづいて、プリンタドライバ１３０により印刷ジョブ１５０を生成し（ステップＡ１）、これらの印刷情報１４０及び印刷ジョブ１５０を記憶装置１２０にキャッシュする（ステップＡ２）。
【００３３】
ここで、ジョブ操作装置３００が動作を開始して、まず、ジョブ操作装置３００のプリンタ情報取得部３１０が、例えばＳＮＭＰやＰＪＬＡ使用して、印刷出力先であるプリンタ２００に関する情報３１１、例えばオプション装置の有無やプリンタに関する内部情報等を取得し、ジョブ編集部３４０に出力する（ステップＡ３）。
【００３４】
続いて、ジョブ操作装置３００のジョブ読出部３２０が、コンピュータ１００の記憶装置１２０にキャッシュされた印刷情報１４０及び印刷ジョブ１５０を読み出して、これらの印刷情報１４０及び印刷ジョブ１５０のうち、印刷情報１４０を出力部３５０に、そして印刷ジョブ１５０をジョブ解析部３３０に出力する（ステップＡ４）。
【００３５】
これにより、ジョブ操作装置３００のジョブ解析部３３０が、ジョブ読出部３２０から送られてくる印刷ジョブ１５０を解析する、すなわち印刷ジョブ１５０のファイル内部の解析を行なって、プリンタ記述言語や各種印刷設定情報を取得して、ジョブ編集部３４０に出力する（ステップＡ５）。
【００３６】
続いて、ジョブ操作装置３００のジョブ編集部３４０が、プリンタ情報取得部３１０からのプリンタに関する情報３１１及びジョブ解析部３３０からの解析された印刷ジョブ１５０を、コンピュータ１００の表示部に画面表示し、利用者のバイナリエディタの編集操作を含む入力操作に対応して、その印刷ジョブ１５０の各項目の設定変更を制御コードの付加等の印刷ジョブ１５０の編集を行ない、編集終了後に、編集済みの印刷ジョブ１５０を出力部３５０に送出する（ステップＡ６）。
【００３７】
次に、ジョブ操作装置３００の出力部３５０が、ジョブ読出部３２０からの印刷情報１４０及びジョブ編集部３４０からの編集済みの印刷ジョブ１５０を、プリンタに関する情報３１１にもとづいて、印刷出力先であるプリンタ２００に送出する（ステップＡ７）。
【００３８】
これにより、プリンタ２００が、印刷情報１４０及び印刷ジョブ１５０を受け取って、印刷ジョブ１５０にもとづいて印刷情報１４０の印刷を行なう（ステップＡ８）。
このようにして、ジョブ操作装置３００を利用した印刷処理が完了する。
【００３９】
上述した実施形態においては、印刷装置としてプリンタ２００が使用されているが、これに限らず、印刷情報の印刷出力が可能であれば、他の種類の印刷装置、例えばファクシミリ装置やデジタルコピー装置等が使用されてもよいことは明らかである。
【００４０】
【発明の効果】
以上のように、本発明によれば、ホストコンピュータがプリンタドライバにより生成した印刷ジョブをホストコンピュータの記憶装置にキャッシュした状態にて、ジョブ操作装置の印刷装置情報取得部が、印刷装置に関する情報を取得するとともに、ジョブ操作装置のジョブ読出部が、このキャッシュされた印刷ジョブを読み出して、ジョブ解析部により解析する。
【００４１】
そして、ジョブ操作装置のジョブ編集部が、印刷装置情報取得部により取得された印刷装置に関する情報及びジョブ解析部により解析された印刷ジョブにもとづいて、印刷，削除，保存ジョブのリスト出力，そしてジョブの各項目の設定変更やオプション機能の付加等の印刷ジョブの編集を行なう。
最後に、ジョブ編集部により編集された印刷ジョブを、ジョブ操作装置の出力部により印刷装置に出力する。
【００４２】
このようにして、印刷ジョブを登録すべき記憶装置を備えていない印刷装置であっても、印刷ジョブをホストコンピュータの記憶装置を利用してキャッシュしておくことにより、ジョブ操作装置がその印刷ジョブを読み出して編集することができるとともに、編集した印刷ジョブを印刷装置に出力することにより、この印刷ジョブにもとづいて印刷情報の印刷を行なわせることができる。
このようにして、本発明によれば、記憶装置を備えていない印刷装置であっても、印刷ジョブの操作を行なうことができるようにした、極めて優れた印刷装置におけるジョブ操作装置及びジョブ操作プログラムを提供することができる。
【図面の簡単な説明】
【図１】本発明によるジョブ編集装置の一実施形態を備えた印刷システムのハードウェア構成を示すブロック図である。
【図２】図１の印刷システムにおけるソフトウェアによる機能構成を示すブロック図である。
【図３】図１の印刷システムにおけるジョブ編集部の編集画面の一例を示す図である。
【図４】図１の印刷システムにおけるジョブ編集部のバイナリ編集画面の一例を示す図である。
【図５】図１の印刷システムにおけるジョブ操作装置を利用した印刷処理を示すフローチャートである。
【符号の説明】
１０  印刷システム
１００  コンピュータ（ホストコンピュータ）
１１０  処理部
１２０  記憶装置
１３０  プリンタドライバ（プログラム）
１４０  印刷情報
１５０  印刷ジョブ
２００  プリンタ（印刷装置）
３００  ジョブ操作装置
３１０  プリンタ情報取得部（印刷装置情報取得部）
３１１  プリンタに関する情報
３２０  ジョブ読出部
３３０  ジョブ解析部
３４０  ジョブ編集部
３５０  出力部
【図１】
2004213211.tif 000003
【図２】
2004213211.tif 000004
【図３】
2004213211.tif 000005
【図４】
2004213211.tif 000006
【図５】
2004213211.tif 000007